(57)【特許請求の範囲】
【請求項１】
上下両側が開口し、下側開口が燃焼室に連通可能に設置される内筒を、上下両側が開口した外筒に貫装して外筒と内筒との間に外気吸入路が形成された二重壁煙突であって、
前記内筒と外筒は、ハウジングを貫通して各上端部分が前記ハウジング外で開口し、
前記外筒の上端部よりさらに上方に延びて外部に露出する内筒の上側開口部分より下部に位置するとともに、前記外筒の上側開口部分から離間した上部に位置し、内筒内と煙突外とを通気可能とするように真上に向けて開口した、排気トップが配設され、
前記排気トップの内部には、水平面積が内筒の燃焼ガス排出路の上側開口よりも大きい天板部材が、排気トップの内壁及び内筒の上端部から離間した状態で設けられ、
前記内筒の、外筒から露出する外周部に、外筒の上端部から離間した状態で取り付けられた天板部と、この天板部の外周部から垂設され外筒から離間すると共に下端部が外筒の上端部より下方に位置するよう取り付けられた垂下壁とを備え、外気吸入路と煙突外とを通気可能とするように真下に向けて開口した、第１のカバー部材が配設された、
ことを特徴とする二重壁煙突。
【請求項２】
前記外筒の外周部には、煙突が上下方向に貫通されたハウジングの孔の部分を覆うように、外筒のハウジング直上部分と、ハウジングの前記孔より外側部分とに対して、第２のカバー部材が取り付けられている、
ことを特徴とする請求項１に記載の二重壁煙突。
【請求項３】
吸収液を加熱し沸騰させる燃焼加熱手段が燃焼室に臨んで設置された再生器が蒸発器、吸収器、凝縮器などと共にハウジング内に設置され、
再生器の燃焼室に請求項１又は２に記載の二重壁煙突の内筒の下側開口が連通して設置され、
二重壁煙突の外気吸入路の下端部分がハウジング内で開口し、
二重壁煙突の内筒と外筒がハウジングを貫通して各上端部分がハウジング外で開口した
ことを特徴とする吸収式冷凍機。
【発明の詳細な説明】
【技術分野】
【０００１】
本発明は、吸収式冷凍機に係わるものである。
【背景技術】
【０００２】
図４に示す高温再生器１、低温再生器２、凝縮器３、蒸発器４、吸収器５、低温熱交換器６、高温熱交換器７、吸収液ポンプ８、冷媒ポンプ９などを連結して吸収液と冷媒の循環路を形成し、蒸発器４で冷却した冷水を熱負荷に循環供給して冷房などに供することの可能な吸収式冷凍機が屋上などに設置されるときには、例えば図５に示したようにハウジング１００に収納されて設置される（例えば、特許文献１参照。）。
【０００３】
なお、図中１０は高温再生器１の燃焼室１Ａに臨んで設置され、燃焼室１Ａで形成する火炎により高温再生器１内の吸収液を加熱沸騰させて吸収液から冷媒を蒸発分離し、冷媒の生成と吸収液の濃縮再生を図るためのガスバーナ、１１はガスバーナ１０に燃焼用空気を供給するためのブロアー、１２はブロアー１１の送風口とガスバーナ１０との間に設けられた燃焼用空気供給管、１３は燃焼室１Ａの終端側に連通して設置され、燃焼室１Ａにおける可燃ガスの燃焼で生成された燃焼排ガスを排出するための排気管、５０Ｘは下端部が排気管１３に連結されて、燃焼室１Ａで生成される燃焼排ガスの排出が可能にハウジング１００を上下に貫通して設置された煙突、１０１はハウジング１００の側壁面に通気孔として開設されたガラリである。
【特許文献１】特開２００５−１２７１５０号公報
【発明の開示】
【発明が解決しようとする課題】
【０００４】
バーナなどの燃焼加熱手段を備えた再生器をハウジング内に収納設置するときには、バーナで使用する燃焼用空気としてハウジング内の空気が用いられるため、ハウジング外からハウジング内に外気が進入可能にハウジングの側壁面に多数のガラリを設ける必要があり、ハウジングパネルの加工コストが上昇して装置価格の上昇が避けられなかった。そのため、ガラリの設置を不要、若しくはガラリの数の大幅な削減を可能にする必要があり、その解決が課題となっていた。
【課題を解決するための手段】
【０００５】
第１の発明は、上下両側が開口し、下側開口が燃焼室に連通可能に設置される内筒を、上下両側が開口した外筒に貫装して外筒と内筒との間に外気吸入路が形成された二重壁煙突であって、前記内筒と外筒は、ハウジングを貫通して各上端部分が前記ハウジング外で開口し、前記外筒の上端部よりさらに上方に延びて外部に露出する内筒の上側開口部分より下部に位置するとともに、前記外筒の上側開口部分から離間した上部に位置し、内筒内と煙突外とを通気可能とするように真上に向けて開口した、排気トップが配設され、前記排気トップの内部には、水平面積が内筒の燃焼ガス排出路の上側開口よりも大きい天板部材が、排気トップの内壁及び内筒の上端部から離間した状態で設けられ、前記内筒の、外筒から露出する外周部に、外筒の上端部から離間した状態で取り付けられた天板部と、この天板部の外周部から垂設され外筒から離間すると共に下端部が外筒の上端部より下方に位置するよう取り付けられた垂下壁とを備え、外気吸入路と煙突外とを通気可能とするように真下に向けて開口した、第１のカバー部材が配設された、ことを特徴とする二重壁煙突である。
【０００６】
第２の発明は、第１の発明において、前記外筒の外周部に、煙突が上下方向に貫通されたハウジングの孔の部分を覆うように、外筒のハウジング直上部分と、ハウジングの前記孔より外側部分とに対して、第２のカバー部材が取り付けられている、ことを特徴とする二重壁煙突である。
【０００７】
第３の発明は、吸収液を加熱し沸騰させる燃焼加熱手段が燃焼室に臨んで設置された再生器が蒸発器、吸収器、凝縮器などと共にハウジング内に設置され、再生器の燃焼室に前記第１の発明又は第２の発明の二重壁煙突の内筒の下側開口が連通して設置され、二重壁煙突の外気吸入路の下端部分がハウジング内で開口し、二重壁煙突の内筒と外筒がハウジングを貫通して各上端部分がハウジング外で開口したことを特徴とする吸収式冷凍機である。
【発明の効果】
【０００８】
第１の発明によれば、二重壁煙突の内筒の内部空間を介して燃焼排ガスを排出し、内筒と外筒との間に設置された外気吸入路を介して燃焼用空気などを取り込むことができる。
【０００９】
第３の発明によれば、燃焼加熱手段から出る燃焼排ガスを二重壁煙突の内筒の内部空間を介して排出し、外気吸入路を介して外気をハウジング内に取り込むことができるので、燃焼用空気を取り込むためのガラリをハウジングに設ける必要がない。
【発明を実施するための最良の形態】
【００１１】
吸収液を加熱し沸騰させる燃焼加熱手段が燃焼室に臨んで設置された高温再生器が蒸発器、吸収器、凝縮器などと共にハウジング内に設置され、高温再生器の燃焼室に二重壁煙突の内筒の下側開口が連通して設置され、二重壁煙突の外気吸入路の下端部分が燃焼加熱手段の燃焼用空気供給管に連通され、二重壁煙突の内筒と外筒がハウジングを貫通して各上端部がハウジング外で開口し、内筒の上側開口部分に第１の雨水浸入防止部材が内筒内と煙突外とが通気可能に配設され、外気吸入路の上側開口部分に第２の雨水浸入防止部材が外気吸入路と煙突外とが通気可能に配設されたことを特徴とする吸収式冷凍機。
【実施例１】
【００１２】
以下、本発明の第１の実施例を主に図１、図２に基づいて詳細に説明する。なお、理解を容易にするため、これらの図面においても前記図面において説明した部分と同様の機能を有する部分には同一の符号を付し、理解を妨げない範囲で説明は省略した。
【００１３】
図１に例示したように、本発明の煙突５０もハウジング１００の屋根部を上下方向に貫通して、ハウジング１００に収納された吸収式冷凍機の高温再生器１に取り付けられている。
【００１４】
本発明の煙突５０は、図２に例示したように上下両端部が開口した外筒５１と、上下両端部が開口して外筒５１に貫装された内筒５２とを主要な部材として構成された二重壁煙突であり、内筒５２内の空洞部として形成された燃焼ガス排出路Ｓ１と、外筒５１と内筒５２との間の間隙として形成された外気吸入路Ｓ２とを備え、外気吸入路Ｓ２の下端部分がハウジング１００内で開口した状態で設置されている。
【００１５】
煙突５０の内筒５２は、下端部が高温再生器１の排気管１３に連結されて高温再生器１の燃焼室１Ａと連通し、上端部分には内筒５２の燃焼ガス排出路Ｓ１に上部開口から雨水が浸入するのを防止する部材として排気トップ５３が装着されている。
【００１６】
排気トップ５３の内部には、水平面積が燃焼ガス排出路Ｓ１の上部開口より大きい天板部材５４が複数の支持腕部材５５により、排気トップ５３本体の内壁面と、内筒５２の上端部から離間した状態に支持され、ガスバーナ１０により高温再生器１の燃焼室１Ａ内で燃焼した燃焼排ガスの排出が内筒５２と排気トップ５３とを介して可能となっている。
【００１７】
外筒５１の上端部分にも、外筒５１と内筒５２との間に形成された外気吸入路Ｓ２に雨水が浸入するのを防止する部材として第１のカバー部材５６が取り付けられている。この第１のカバー部材５６は、内筒５２の外周部に溶接により取り付けられた天板部５６Ａと、その外周部から垂設された垂下壁５６Ｂとからなり、外気吸入路Ｓ２に雨水が浸入しないように、且つ、外気吸入路Ｓ２から外気をハウジング１００内に吸気できるように、天板部５６Ａは外筒５１の上端部から上方に離間し、垂下壁５６Ｂは外筒５１と十分に離間すると共に、下端部が外筒５１の上端部より下方に位置するよう取り付けられている。
【００１８】
外筒５１の外周部には、第２のカバー部材５７が取り付けられて、ハウジング１００の煙突５０が上下方向に貫通された部分を覆っている。したがって、煙突５０の外筒５１とハウジング１００との間に隙間が生じていても、その隙間から雨水がハウジング１００内に浸入することがない。煙突５０をハウジング１００に溶接により気密・水密状態に取り付けるときには、この第２のカバー部材５７の設置は省略することができる。
【００１９】
上記構成の吸収式冷凍機においては、煙突５０の外筒５１と内筒５２との間に設けられた外気吸入路Ｓ２を介してハウジング１００内に取り込まれた外気が、ガスバーナ１０で使用する燃焼用空気として使用できるので、ハウジング１００の側壁部などに多数のガラリを設ける必要がなく、したがってハウジングパネルの加工コストを削減して装置価格を下げることができる。
【００２０】
なお、図１に例示した吸収式冷凍機１００においては、高温再生器１の排気管１３を介して排気されている燃焼排ガスと、燃焼用空気供給管１２を介してガスバーナ１０に供給されている燃焼用空気とが排熱回収器１４において熱交換し、燃焼排ガスが保有する熱をガスバーナ１０に供給されている燃焼用空気に回収するように構成されている。
【実施例２】
【００２１】
本発明の第２の実施例を主に図３に基づいて詳細に説明する。なお、理解を容易にするため、図３においても前記図面において説明した部分と同様の機能を有する部分には同一の符号を付し、理解を妨げない範囲で説明は省略した。
【００２２】
図３に例示した第２の実施例の煙突５０は、ブロアー１１の吸気口に一端が連結された燃焼用空気供給管１２Ａの他端が外筒５１と内筒５２との間に形成された外気吸入路Ｓ２の下端部分に連結されて、ブロアー１１の起動時にハウジング外の空気が煙突５０の外気吸入路Ｓ２と、燃焼用空気供給管１２Ａと、燃焼用空気供給管１２とを介して、ガスバーナ１０に燃焼用空気として供給されるように構成されている。
【００２３】
図３に例示した第２の実施例の煙突５０においても、ガスバーナ１０で使用する燃焼用空気は煙突５０の外気吸入路Ｓ２を介してハウジング１００外から取り込まれるので、ハウジング１００の側壁部などに多数のガラリを設ける必要がない。
【００２４】
したがって、ハウジングパネルの加工コストを削減して、装置価格を下げることができる。また、ガスバーナ１０で使用する燃焼用空気が外気吸入路Ｓ２を通過する際に燃焼ガス排出路Ｓ１を通過している燃焼排ガスにより加熱され、そのままガスバーナ１０に供給されるので、熱効率が一層改善されると云った利点もある。
【００２５】
なお、本発明は上記実施例に限定されるものではないので、特許請求の範囲に記載の趣旨から逸脱しない範囲で各種の変形実施が可能である。
【図面の簡単な説明】
【００２６】
【図１】本発明の第１の実施例を示す説明図である。
【図２】本発明の第１の実施例における要部を示す説明図であり、（Ａ）は正面図、（Ｂ）は側面図、（Ｃ）は平面図である。
【図３】本発明の第２の実施例における要部を示す説明図であり、（Ａ）は正面図、（Ｂ）は側面図、（Ｃ）は平面図である。
【図４】吸収式冷凍機の配管部の構成例を示す説明図である。
【図５】従来技術を示す説明図である。
【符号の説明】
【００２７】
１  高温再生器
１Ａ  燃焼室
２  低温再生器
３  凝縮器
４  蒸発器
５  吸収器
１０  ガスバーナ
１１  ブロアー
１２、１２Ａ  燃焼用空気供給管
１３  排気管
１４  排熱回収器
５０、５０Ｘ  煙突
５１  外筒
５２  内筒
５３  排気トップ
５４  天板部材
５５  支持腕部材
５６  第１のカバー部材
５６Ａ  天板部
５６Ｂ  垂下壁
５７  第２のカバー部材
Ｓ１  燃焼ガス排出路
Ｓ２  外気吸入路
１００  ハウジング
１０１  ガラリ
【図１】
0004711753.tif 000002
【図２】
0004711753.tif 000003
【図３】
0004711753.tif 000004
【図４】
0004711753.tif 000005
【図５】
0004711753.tif 000006